(57)【要約】【課題】  本発明は脳局所の部位名を入力することで脳局所の機能を表示するシステムおよびプログラム及び脳機能、疾患名などのキーワードを入力することでこのキーワードに関与する脳局所の部位を表示するシステムおよびプログラムを提供する。【解決手段】  脳機能解析プログラムと、該プログラムが作動する動作コンピューターと、該動作コンピューターへの入出力端末と、文献データベースと、脳機能用語データベース、脳局所用語データベースを備え、前記脳機能解析プログラムが入力された条件に応じて、前記各データベースから読み込み、脳局所の機能または機能に関与する脳部位を計算する。【選択図】図１
2011154666.tif 000002
【特許請求の範囲】
【請求項１】
脳局所の機能を計算するシステムであって、脳機能解析プログラムと、該プログラムが作動する動作コンピューターと、該動作コンピューターへの入出力端末と、文献データベースと、脳機能用語データベース、脳局所用語データベースを備え、前記脳機能解析プログラム前記脳機能解析プログラムが入力された条件に応じて、前記各データベースから読み込み、その数値をもとに脳局所の機能または機能に関与する脳部位を計算させることを特徴とするシステム。
【請求項２】
脳局所の機能を計算するプログラムであって、該プログラムが作動する動作コンピューターと、該動作コンピューターへの入出力端末と、文献データベースと、脳機能用語データベース、脳局所用語データベースを備え、前記脳機能解析プログラム前記脳機能解析プログラムが入力された条件に応じて、前記各データベースから読み込み、その数値をもとに脳局所の機能または機能に関与する脳部位を計算させることを特徴とするプログラム。
【発明の詳細な説明】
【技術分野】
【０００１】  本発明は、脳局所の機能または機能に関与する脳部位を計算する脳機能解析システムおよび脳機能解析プログラムに関するものである。
【背景技術】
【０００２】  従来、脳局所の機能または機能に関与する脳部位を計算するシステムおよびプログラムは存在していない。
【発明の概要】
【発明が解決しようとする課題】
【０００３】  解決しようとする問題点は、脳局所の機能または機能に関与する脳部位についての多くの研究がなされ膨大な文献が存在するが、膨大な数に上るためそれを包括的に、または俯瞰的に捉えることは困難とされていた点である。
【課題を解決するための手段】
【０００４】  本発明の目的は、脳局所の機能または機能に関与する脳部位を計算するシステムおよびプログラムを提供することである。【０００５】  前記目的を達成するために本発明は、請求項１記載の発明は、脳局所の機能または機能に関与する脳部位を計算するシステムであって、脳機能解析プログラムと、該プログラムが作動する動作コンピューターと、該動作コンピューターへの入出力端末と、脳局所用語データベースと、脳機能用語データベースと、文献データベースを備え、前記脳機能解析プログラムが入力された条件に応じて、前記各データベースから読み込み、その数値をもとに脳局所の機能または機能に関与する脳部位を計算させることを特徴とする。【０００６】  請求項２記載の発明は、脳局所の機能または機能に関与する脳部位を計算するプログラムであって、該プログラムが作動する動作コンピューターと、該動作コンピューターへの入出力端末と、脳局所用語データベースと、脳機能用語データベースと、文献データベースを備え、前記脳機能解析プログラムが入力された条件に応じて、前記各データベースから読み込み、その数値をもとに脳局所の機能または機能に関与する脳部位を計算させることを特徴とする。
【発明の効果】
【０００７】  請求項１記載および請求項２記載の発明は、脳局所の機能または機能に関与する脳部位を計算するシステムであって、脳機能解析プログラムと、該プログラムが作動する動作コンピューターと、該動作コンピューターへの入出力端末と、脳局所用語データベースと、脳機能用語データベースと、文献データベースを備え、前記脳機能解析プログラムが入力された条件に応じて、前記各データベースから読み込み、その数値をもとに脳局所の機能または機能に関与する脳部位を計算させることができる。
【図面の簡単な説明】
【０００８】
【図１】本発明のシステムの全体構成図である。
【図２】脳機能解析の過程である。
【図３】詳細な脳機能解析の過程である。
【図４】脳局所部位の脳機能の結果の表示例である。
【図５】脳機能に関与する脳局所部位の結果の表示例である。
【発明を実施するための形態】
【０００９】  以下、本発明による脳局所の機能または機能に関与する脳部位を計算する脳機能解析システムおよび脳機能解析プログラムの一実施形態を、図面を参照して詳細に説明する。
【０００１０】  本発明の一実施形態による脳機能解析システムの基本構成は、例えば図１に示すごとく、脳機能解析プログラム１０３と、該プログラムが作動する動作コンピューター１０２と、該コンピューターへの入出力手段である入出力端末１０１と、プリントアウト手段であるプリンター１０７と、文献データベースー１０４（以下、データベースをＤＢと略す。）と、脳機能用語ＤＢ−１０５と、脳局所用語ＤＢ−１０６からなる。
【００１１】  脳機能解析プログラム１０３は公知のプログラム言語で作成しても良いが、汎用表計算ソフトでも作成することができる。
また、各データベースも汎用表計算ソフトを利用して構築することもできる。
【００１２】以下、各データベースの実施形態について説明する。
【００１３】  文献ＤＢ１０４は、論文の雑誌名、著者名、題名、抄録などからなり、ｗｅｂ上の文献ＤＢでも良い。
【００１４】脳機能用語ＤＢ１０５は、脳神経疾患名、神経症状名、精神症状名、心理症状名などからなり階層構造を取る。
【００１５】脳局所用語ＤＢ１０６は、脳局所の部位名などからなり階層構造を取る。
【００１６】脳機能解析プログラム１０３は、図２に示すごとく、脳局所用語ＤＢ１０５からキーワードＡ、脳機能用語ＤＢ１０６からキーワードＢを読み出し、キーワードＡかつキーワードＢで文献ＤＢ１０４を検索し、前記条件に合致する文献数を計算し、脳局所機能ＤＢ１０８に記録する。
【００１７】脳機能解析プログラム１０３は、図３に示すごとく、脳局所用語ＤＢ１０５からキーワードＡ、脳機能用語ＤＢ１０６からキーワードＢを読み出し、キーワードＡかつキーワードＢで文献ＤＢ１０４を検索し、前記条件に合致する文献の抄録を全て記録し、機能，解剖キーワード別の抄録ファイルを作成し、脳局所の解剖を修飾するキーワードＤＢからキーワードＣを読み出し、抄録中にキーワードＣに合致する文献の数を計算し、脳局所機能ＤＢ１０８に記録する。
【００１８】  脳局所の機能を表示する場合を以下に説明する。
【００１９】脳機能解析プログラム１０３の画面は、図４の上部に示すごとく、「脳部位名」、「解析するデータベース名」、「カテゴリー名」、「文献数制限」、「対数表示（ｙ／ｎ）」、及び「脳部位→機能」のボタンから構成されている。
【００２０】ユーザーは脳機能解析プログラム１０３を起動し、次の項目を入力する。
１．「脳部位名」を入力する。
２．「脳局所機能データベース名」を入力する。
３．「カテゴリー名」：脳疾患、精神神経症状などのカテゴリー名を入力する。
４．「文献数制限」：出力する最低の数値を入力する。
５．「対数表示（ｙ／ｎ）」：表示を対数表示にするかを入力する。
６．「脳部位→機能」ボタンをクリックする。
【００２１】  脳機能解析プログラム１０３は次の計算を行う。
【００２２】  脳機能解析プログラム１０３は、脳局所機能ＤＢを「脳部位名」、「脳局所機能データベース名」、「カテゴリー名」で検索し、縦軸に文献数（対数表示の場合は、文献数を対数にして計算する）、横軸に脳機能用語ＤＢ内のカテゴリー内の順番で機能を表示し、脳機能用語ＤＢの階層構造の上位から下位の方向で矢印を表示している（図５）。
【００２３】  次に、機能から脳局所部位を表示する場合を以下に説明する。
【００２４】脳機能解析プログラム１０３の画面は、図４の下半分に示すごとく、「機能名」、「解析するデータベース名」、「文献数制限」、「対数表示（ｙ／ｎ）」、「解析する機能」、及び「脳機能→部位」のボタンから構成されている。
【００２５】ユーザーは脳機能解析プログラム１０３を起動し、次の項目を入力する。
１．「機能名」を入力する。
２．「脳局所機能データベース名」を入力する。
３．「文献数制限」：出力する最低の数値を入力する。
４．「対数表示（ｙ／ｎ）」：表示を対数表示にするかを入力する。
５．「脳機能→部位」ボタンをクリックする。
【００２６】  脳機能解析プログラム１０３は次の計算を行う。
【００２７】  脳機能解析プログラム１０３は、脳局所機能ＤＢを「機能名」、「脳局所機能データベース名」で検索し、縦軸に文献数（対数表示の場合は、文献数を対数にして計算する）、横軸に脳局所用語ＤＢ内の順番で機能を表示し、脳局所用語ＤＢの階層構造の上位から下位の方向で矢印を表示している（図６）。
【産業上の利用可能性】  医療分野において脳局所の脳機能の包括的、俯瞰的解析手段を提供することは、医療の質、効率の改善に有用である。
【符号の説明】  １０１  入出力端末
１０２  動作コンピューター
１０３  脳機能解析プログラム
１０４  文献ＤＢ
１０５  脳局所用語ＤＢ
１０６  脳機能用語ＤＢ
１０７  プリンター
１０８  脳局所機能ＤＢ
１０９  脳局所を修飾するキーワードＤＢ
【図１】
2011154666.tif 000003
【図２】
2011154666.tif 000004
【図３】
2011154666.tif 000005
【図４】
2011154666.tif 000006
【図５】
2011154666.tif 000007
【図６】
2011154666.tif 000008
【手続補正書】
【提出日】平成22年6月4日(2010.6.4)
【手続補正１】
【補正対象書類名】明細書
【補正対象項目名】０００８
【補正方法】変更
【補正の内容】
【０００８】
【図１】本発明のシステムの全体構成図である。
【図２】脳機能解析の過程である。
【図３】詳細な脳機能解析の過程である。
【図４】脳機能解析プログラムの画面である。
【図５】脳局所部位の脳機能の結果の表示例である。
【図６】脳機能に関与する脳局所部位の結果の表示例である。